(57)【要約】【課題】  住民票などの公文書をコンビニエンスストアなどで印刷する場合など、重要文書の印刷をセキュリティーを確保しながら確実に行う。搬送中に紙詰まりした場合や、意図的に紙詰まりを起こして用紙のみを抜き取られる心配にも対処する。【解決手段】  印刷を実施した時点で、印刷装置はセキュリティーモードに移行し、紙詰まりなどから定常状態に戻るまでは容易に解除出来ないようにする。【選択図】  図１
2006212812.tif 000002
【特許請求の範囲】
【請求項１】
証明書、公文書、住民票などの文書を専用用紙を用いて印刷する印刷装置において、前記文書の印刷が選択された際は、印刷装置はセキュリティーモードに移行する手段を有し、正常に印刷終了後通常モードに復帰することを特徴とする印刷装置。
【請求項２】
上記セキュリティーモード時は、用紙補給・ジャム処理などの異常処理行為であって、一般ユーザに許可されている処理行為は、システム管理者によるパスワード入力がないと、実行出来ないことを特徴とする請求項１記載の印刷装置。
【請求項３】
上記セキュリティーモード時は、割り込み印刷が出来ないことを特徴とする請求項１または請求項２記載の印刷装置。
【請求項４】
上記セキュリティーモード時にＥｒｒｏｒが発生すると、装置が直ちに管理者に連絡することを特徴とする請求項１ないし請求項３のいずれか１項記載の印刷装置。
【請求項５】
上記セキュリティーモード時にＥｒｒｏｒが発生すると、印刷装置は表示パネルに警告表示しや警告音による警告を発して状態を知らせる事を特徴とする請求項１ないし請求項４のいずれか１項記載の印刷装置。
【請求項６】
上記セキュリティーモード時は連続ジョブを受けられないようにすることで、セキュリティーを高める事を特徴とする請求項１ないし請求項５のいずれか１項記載の印刷装置。
【発明の詳細な説明】
【技術分野】
【０００１】
本発明は、プリンター・複写機等の印刷装置のデータ処理方法に関する。
【背景技術】
【０００２】
従来、証明書や住民票などの公文書の発行は、公的な機関などある限られた場所で行われるのみであった。
【０００３】
又、別の従来例としては、特許文献１及び特許文献２をあげることが出来る。
【特許文献１】特開２００４−１１０７０８号公報
【特許文献２】特開２００４−０２１３３９号公報
【発明の開示】
【発明が解決しようとする課題】
【０００４】
社会ニーズの多様化や電子政府化など、ネットワークの発展により、郵便局やコンビニエンスストアなど、身近な場所でいつでも証明書を発行できるようになっていくなかで、セキュリティーの確保が非常に重要なってきている。
例えば、証明書などに使用される用紙は、一般的には入手できない特殊な用紙を使用しているため、管理も厳重に行われているが、機器が動作中に意図的に機器を止めて、用紙を抜き取られる場合がある。
【０００５】
（目的）
本発明は上記問題を解決する為のもので、重要文書印刷時の機器状態を管理する事を目的とする。
【０００６】
本発明は上記問題を解決する為のもので、重要文書印刷時の機密保持を明確化する事を目的とする。
【課題を解決するための手段】
【０００７】
上記目的を達成する本発明の出力装置は以下に示す構成を備える。
【０００８】
即ち、機密書類印刷時は、機器はセキュリティーモードに移行する手段を有する。
【０００９】
即ち、セキュリティーモード時は、機器の操作を制限する手段を有する。
【００１０】
即ち、セキュリティーモードは、ジョブが終了する手段を有する。
【発明の効果】
【００１１】
以上述べたように本発明によれば、印刷装置は、セキュリティーモード時は、他のジョブを受け付けない事で、重要文書の印刷を確実に行うという効果がある。また、動作中に紙詰まりが発生しても、警告を発したり、管理者以外が操作できないようにすることで、印刷のセキュリティーを保持できるというメリットがある。
【発明を実施するための最良の形態】
【００１２】
本発明のネットワークシステム全体の構成図を図１に示す。
【００１３】
１００１は本発明の装置で、スキャナとプリンタから構成され、スキャナから読み込んだ画像をローカルエリアネットワーク（１０１０）（以下ＬＡＮ）に流したり、ＬＡＮから受信した画像をプリンタによりプリントアウトできる。また、スキャナから読んだ画像を図示しないＦＡＸ送信手段により、ＰＳＴＮまたはＩＳＤＮ（１０３０）に送信したり、ＰＳＴＮまたはＩＳＤＮから受信した画像をプリンタによりプリントアウトできる。１００２は、データベースサーバで、本発明の装置（１００１）により読み込んだ２値画像及び多値画像をデータベースとして管理する。
【００１４】
１００３は、データベースサーバ（１００２）のデータベースクライアントで、データベース（１００２）に保存されている画像データを閲覧／検索等できる。
【００１５】
１００４は、電子メールサーバで、本発明の装置（１００１）により読み取った画像を電子メールの添付として受け取ることができる。１００５は、電子メールのクライアントで、電子メールサーバ（１００４）の受け取ったメールを受信し閲覧したり、電子メールを送信したり、可能である。
【００１６】
１００６がＨＴＭＬ文書をＬＡＮに提供するＷＷＷサーバで、本発明の装置（１００１）によりＷＷＷサーバで提供されるＨＴＭＬ文書をプリントアウトできる。
【００１７】
１００７は、ルータでＬＡＮ（１０１０）をインターネット／イントラネット（１０１２）と連結する。インターネット／イントラネットに、前述したデータベースサーバ（１００２）、ＷＷＷサーバ（１００６）、電子メールサーバ（１００４）、本発明の装置（１００１）と同様の装置が、それぞれ１０２０、１０２１、１０２２、１０２３として連結している。一方、本発明の装置（１００１）は、ＰＳＴＮまたはＩＳＤＮ（１０３０）を介して、ＦＡＸ装置（１０３１）と送受信可能になっている。
【００１８】
また、ＬＡＮ上にプリンタ（１０４０）も連結されており、本発明の装置（１００１）により読み取った画像をプリントアウト可能なように構成されている。
【００１９】
次に図２に本発明装置１００１内部のブロック図を示す。
【００２０】
Ｃｏｎｔｒｏｌｌｅｒ  Ｕｎｉｔ（１００）は、本体エンジン部３００に接続される画像入力デバイスであるＳｃａｎｎｅｒや画像出力デバイスであるＰｒｉｎｔｅｒと接続し、一方ではＬＡＮや公衆回線（ＷＡＮ）接続することで、画像情報やデバイス情報の入出力、ＰＤＬデータのイメージ展開を行う為のコントローラである。
【００２１】
ＣＰＵ（１０１）はシステム全体を制御するプロセッサである。さらに、システムバスブリッジ（１２０）に接続される。
【００２２】
ＲＡＭ（１０９）はＣＰＵ（１０１）が動作するためのシステムワークメモリであり、画像データを一時記憶するための画像メモリでもある。図示していないＲＡＭコントローラにより制御される、本実施例では、ダイレクトＲＤＲＡＭを採用する例を示す。
【００２３】
ＲＯＭ（１０２）はＣｏｎｔｒｏｌｌｅｒ  Ｕｎｉｔが動作するための、ブートコード、プログラムコード、フォントコードなどが格納されている。図示しないＲＯＭコントローラにより制御される。
【００２４】
ＰｒｉｎｔｅｒＩ／Ｆ（１０３）は、本体エンジン部（３００）の図示しないプリンタ部と接続され、印刷データのやり取り、を行う。ＳｃａｎｎｅｒＩ／Ｆ（１０４）は、本体エンジン部に接続されたスキャナとのデータのやり取りを行うブロックである。
【００２５】
ＩＯバス１（１０７）は、内部ＩＯバスの一種であり、標準バスであるＵＳＢバスのコントローラ、ＵＳＢインターフェース）、汎用シリアルポート、インタラプトコントローラ、ＧＰＩＯインターフェースが接続される。ＩＯバス１には、バスアービタ（図示せず）が含まれる。
【００２６】
操作部Ｉ／Ｆ（１０８）は図示しない操作部とインターフェース部で、操作部に表示する画像データを操作部に対して出力する。また、操作部から本システム使用者が入力した情報を、ＣＰＵ（１０１）に伝える役割をする。
【００２７】
ＰＣＩ（１０６）は標準的なＰＣＩバスである。
【００２８】
ＨＤＤ（１０５）はハードディスクドライブで、システムソフトウェア、画像データを格納する。
【００２９】
ＮｅｔＷｏｒｋ（１１０）は、図示しないＭＡＣ回路、ＰＨＹ／ＰＭＤ回路を介しＬＡＮ（１０１０）に接続し、情報の入出力を行う。
【００３０】
各ブロックは、システムバス（１２０）に接続され、それぞのモジュール完でデータのやり取りを行うことが出来る。
【００３１】
メモリカード（１１１）は、ＳＤメモリ等の汎用メモリが接続可能なブロックで、本実施例では、ＵＳＢインターフェースに接続されている。
【００３２】
暗号化ブロックは、ＰＣＩバスに接続されるブロックでデータの暗号化、複合化が行える。本発明では、メモリ（１０９）内部のデータを暗号化、複合化しメモリ（１０９）に書き戻すことが可能なブロックである。
【００３３】
以上のように構成された印刷装置において、本実施例は、図３を用いて説明する。
【００３４】
通常の印刷処理の場合、印刷装置の印刷準備が整っている状態（５０１）で、キー選択により各種設定が選択される（５０２）。印刷部数や用紙の選択が終了し、印刷スタートキーを押すと、印刷が開始される（５０３）。印刷装置は、スキャナから原稿を読み込んで、読み込んだデータの補正を行った後、内部のＲＡＭ（１０９）に格納する。この印刷データは、エンジン部から送られてくるビデオ同期信号に合わせて、本体エンジン部に送信された後、通常のように印刷される（５０４）。同じように、ホストコンピュータからＩ／Ｏもしくはネットワークを通じて印刷開始命令（５０３）が送られると、印刷装置は、この情報をＲＡＭ（１０９）に蓄える。ＣＰＵは、ＲＡＭ（１０９）ないの情報をＲＯＭにより解釈し、１ページ分の印刷印刷情報であるビットマップ情報を作成する。この印刷情報は、本体エンジン部（３００）から送られるビデオ同期信号に同期して本体エンジン部に送付され、印刷が実行される。印刷終了（５０５）後、印刷装置は、通常状態に戻る。（５０６）。
【００３５】
ここで、通常の印刷の場合では、上記印刷処理中に、割り込み印刷が実行された場合は、割り込みジョブを優先ジョブと判断し、上記と同様の印刷処理を実行する。また、紙詰まり等の不具合が発生した場合は、操作パネル（１０８）に、ＥＲＲＯＲ状態を表示して、印刷を停止し、装置のリカバリが終了した後、印刷の復帰を行い、正しい印刷が行われる。
【００３６】
次に、証明書等の機密性の高い印刷物の印刷が選択された場合、印刷装置は、通常処理に移行しないで、セキュリティーモード印刷（５０８）へ移行する。
【００３７】
このセキュリティーモードとは、
１．通常処理時における制限
２．Ｅｒｒｏｒ処理時の制限
の２種類の制限に大きく分けられる。
【００３８】
１．通常処理時における制限は、
通常の印刷処理では、
（１）連続ジョブを発行可能
ここでいう連続ジョブとは、複数ページの印刷や数種類のジョブが混在しているものをさす。
【００３９】
（２）割り込み印刷許可
現在実行中のＪＯＢを実行する前に、入力されたジョブを優先して実行できるモードである。
【００４０】
セキュリティーモード時は、上記のジョブに制限を加る。例えば、ジョブはＭＡＸ１つなどの制限を加える事が可能である。これにより、確実に印刷が実行できるようになる。
【００４１】
２．Ｅｒｒｏｒ処理時の制限を図４に示す。
【００４２】
図４のように、一般的な印刷装置では、Ｅｒｒｏｒのレベルは大きく分けて３つに大別される。
【００４３】
（１）レベル１：表示パネルに警告メッセージを出すもので、トナーが少、メモリ少などの情報を提供しており、装置の動作に何の影響も無い。
【００４４】
（２）レベル２：紙ナシや紙詰りで機器がＥｒｒｏｒで停止している状態で、普及する必要があるＥｒｒｏｒレベルである。通常は、誰でもこのＥｒｒｏｒ処理に対応する事が可能であるが、セキュリティーモードでは、管理者のみが対応可能である。
【００４５】
（３）レベル３：Ｅｒｒｏｒのため、システムが停止した状態で機器の再起動もしくは、部品の交換が必要なＥｒｒｏｒである。通常は誰でも操作可能であるが、部品の交換の場合は、管理者が必要。セキュリティーモードでは、管理者の対応が必要である。
【００４６】
以上のようなセキュリティー状態の時に、機器に異常が発生しなかった場合（５０８）は、通常に印刷が終了（５１１）、印刷装置はセキュリティー状態を解除し（５１２）通常状態に戻る。（５０６）
機器に異常が発生した場合は（５０８）、操作パネルに異常を通知すると共に、ネットワーク（１１０）を通じて、本体内の図示しない不揮発性メモリに予め保持していた管理者のあて先に対して、メールにて異常状態の通知を行う事を特徴とする。
【００４７】
また、この異常状態を知らせるため、コントロールパネル上もしくは操作パネルに装着されている図示しないブザー等により警告を発しても良い。
【００４８】
ここで、異常発生時は、操作パネルを用いて、管理者により正しいパスワードが入力されるまで復帰動作は行えず、パスワード入力無しに、ジャム処理を行う為に扉が開かれた場合は、警告を発し、上記同様にその情報は、ネットワーク（１１０）と通じて、管理者に連絡される。また、その時の状態はメモリカード（１１１）や、ここに図示しないハードディスクに格納される。
【００４９】
管理者により状態が復帰した場合は（５１０）、引き続き印刷処理を実行し、印刷終了（５１１）後、セキュリティー状態は解除され（５１２）、通常状態に復帰する。
【図面の簡単な説明】
【００５０】
【図１】本発明の実施形態を示すシステムの実使用環境を表す図である。
【図２】本発明のブロックを示す図である。
【図３】本発明のフローチャートを示す図である。
【図４】エラー処理時の制限内容を示すテーブルである。
【図１】
2006212812.tif 000003
【図２】
2006212812.tif 000004
【図３】
2006212812.tif 000005
【図４】
2006212812.tif 000006